(57)【要約】【課題】エアバッグの膨張力が弱い場合でもドア破断予定部の破断を短時間で完了し得るようにする。【解決手段】ドアパネル３２,３４を、エアバッグ装置５２の側へ所要角度だけ後退した傾斜状態に設けることで、これらドアパネル３２,３４の境界ラインに沿って沿設した破断予定部４０を、ヒンジ部４４よりも奥まって位置させる。そして、互いに隣接する一方のドアパネル３２の開放端縁部３２Ａが、他方のドアパネル３４の開放端縁部３４Ａに重なり、オーバーラップした両開放端縁部３２Ａ,３４Ａに沿って破断予定部４０が形成されている。従って、各ドアパネル３２,３４がヒンジ部４４より外方へ開放変位するまでに破断予定部４０が破断するようになる。【選択図】図１
2006015919.tif 000002
【特許請求の範囲】
【請求項１】
車両内装部材(10)を構成する基材(12)に設けた複数のドアパネル(32,34,36,38)と、これらドアパネル(32,34,36,38)の境界ラインに沿って延設した破断予定部(40)とからなり、エアバッグ装置(52)の作動により膨張するエアバッグ(56)が前記各ドアパネル(32,34,36,38)をその裏側から押圧した際に前記破断予定部(40)が破断して、ヒンジ部(44)を中心とした該ドアパネル(32,34,36,38)の開放を許容するエアバッグドア構造において、
前記各ドアパネル(32,34,36,38)の前記破断予定部(40)を、前記ヒンジ部(44)よりも奥まって位置させた
ことを特徴とするエアバッグドア構造。
【請求項２】
前記各ドアパネル(32,34,36,38)を、前記エアバッグ装置(52)の側へ所要角度だけ後退した傾斜状態に設けることで、前記破断予定部(40)を前記ヒンジ部(44)よりも奥まって位置させ、
前記各ドアパネル(32,34,36,38)の裏側を前記エアバッグ(56)が押圧した際に、各ドアパネル(32,34,36,38)が前記ヒンジ部(44)より外方へ変位するまでに、前記破断予定部(40)を破断させ得るようにした請求項１記載のエアバッグドア構造。
【請求項３】
互いに隣接する一方の前記ドアパネル(32,34,36,38)の開放端縁部(32A,34A,36A,38A)が他方の前記ドアパネル(32,34,36,38)の開放端縁部(32A,34A,36A,38A)に重なり、互いにオーバーラップした両開放端縁部(32A,34A,36A,38A)に沿って前記破断予定部(40)が形成されており、
前記各ドアパネル(32,34,36,38)が前記ヒンジ部(44)より外方へ変位するまでそのオーバーラップ量が増大する請求項１または２記載のエアバッグドア構造。
【請求項４】
乗員席側に向け開放する前記ドアパネル(32)の開放端縁部(32A)が、乗員席側とは異なる方向へ開放する前記ドアパネル(34,36,38)の開放端縁部(34A,36A,38A)より外方に位置している請求項３記載のエアバッグドア構造。
【請求項５】
前記車両内装部材(10)は、前記基材(12)の外面に発泡体(14)および表皮材(16)が配設され、前記各ドアパネル(32,34,36,38)の外側に位置する該発泡体(14)は、後退した傾斜状態に設けた該ドアパネル(32,34,36,38)により適宜厚みが大きく設定されている請求項１〜４の何れかに記載のエアバッグドア構造。
【発明の詳細な説明】
【技術分野】
【０００１】
本発明は、エアバッグドア構造に関し、更に詳細には、車両内装部材を構成する基材に設けた複数のドアパネルと、これらドアパネルの境界ラインに沿って延設した破断予定部とからなり、エアバッグ装置の作動により膨張するエアバッグが各ドアパネルをその裏側から押圧した際に破断予定部が破断して、ヒンジ部を中心とした該ドアパネルの開放を許容するエアバッグドア構造に関するものである。
【背景技術】
【０００２】
近年生産される殆どの乗用車には、対向車との衝突事故の発生時に乗員保護を図るため、運転席エアバッグ装置および助手席エアバッグ装置が標準的に装備されている。例えば図１０および図１１に例示するように、助手席の乗員保護用のエアバッグ装置５２は、乗員室内の前方に組付けた車両内装部材であるインストルメントパネル１０の内部に、乗員席から見えないよう格納した状態で搭載されている。このため、インストルメントパネル１０を構成する合成樹脂製の基材１２には、エアバッグ装置５２のインフレータケース５４に対応する位置にエアバッグドア３０が設けられており、エアバッグ装置５２の作動により膨張を開始したエアバッグ５６の押圧力を受けた際に、エアバッグドア３０が開放するようになっている。
【０００３】
ここで前述した基材１２は、ポリプロピレン等に強化剤を添加した合成樹脂素材からインジェクション成形技術に基づいて成形された部材であるため、殊に低温時にエアバッグ５６の強大な押圧力を瞬間的に受けた場合に破損する虞がある。そこで、図１１および図１２に例示したように、基材１２とエアバッグドア３０とを別部材として構成し、例えばオレフィン系の熱可塑性エラストマ(ＴＰＯ)等の柔軟性に富んだ樹脂素材からエアバッグドア３０を成形し、基材１２に開設したドア設置部１８に対して当該のエアバッグドア３０を組付ける構造としたものが多い。なお、図１１および図１２に例示したエアバッグドア３０は、４枚のドアパネル３２,３４,３６,３８からなる四方開きタイプとなっており、各ドアパネル３２,３４,３６,３８の境界ラインに沿って両Ｙ字形のドア破断予定部(破断予定部)４０が延設されていると共に、その裏面側に角筒状の支持枠部４２が一体的に形成されており、この支持枠部４２がエアバッグ装置５２のインフレータケース５４に連結されるようになっている。
【０００４】
また前述のインストルメントパネル１０は、部分的には単層構造となっているものの、基本的には、所要形状にインジェクション成形された合成樹脂製の基材１２と、この基材１２の外面における所要領域に形成被着された発泡体１４と、この発泡体１４の外面に被着されて該発泡体１４を被覆する表皮材１６とから構成された３層構造となっている。従って、３層構造となっている部位に設けられたエアバッグドア３０は、図１１に例示したように、その外面に所要厚の発泡体１４および該発泡体１４を被覆する表皮材１６で被覆された構造となっている。このため表皮材１６には、前述したドア破断予定部４０に沿って両Ｙ字形の表皮開裂予定部２０が延設されており、各ドアパネル３２,３４,３６,３８の裏面にエアバッグ５６の押圧力が加わると、ドア破断予定部４０の破断、表皮開裂予定部２０の開裂、そして発泡体１４の裂断が夫々進行して、ヒンジ部４４を中心とした各ドアパネル３２の開放が許容される。なお、これに関する技術は、例えば特許文献１に開示されている。
【特許文献１】特開２０００−１７７５２５号公報
【発明の開示】
【発明が解決しようとする課題】
【０００５】
ところで、従来したエアバッグドア３０の構造では、当該のエアバッグドア３０を構成する各ドアパネル３２,３４,３６,３８が、図１１の位置、すなわち基材１２の外面レベルおよびヒンジ部４４と略一致するように設定されており、各ドアパネル３２はこの位置を開放開始位置として開放変位するようになっている。従って、エアバッグ装置５２の作動により膨張を開始したエアバッグ５６の押圧力がエアバッグドア３０の裏側に加わると、図１３に例示するように、各ドアパネル３２,３４,３６,３８は発泡体１４および表皮材１６を外方へ押し上げながら凸形状に変形した後、応力が集中したドア破断予定部４０の破断が始まるようになる。すなわち、このようなエアバッグドア３０では、エアバッグ５６の押圧力に基づいて隣接するドアパネル３２,３４,３６,３８が相互に離間する方向へ引張られるようになり、この際に発生する所謂引裂力によりドア破断予定部４０を破断させるものであるから、該ドア破断予定部４０を安定かつ適切に破断させるためにはエアバッグ５６は大きな膨張力を必要とする。殊に近年のエアバッグ装置５２は、衝突時の衝撃力を大きさ感知してエアバッグ５６の膨張力を強弱調整し得るようになっているため、エアバッグ５６の膨張力が弱い場合においてもドア破断予定部４０がエアバック５６が膨張を開始して短時間で破断を開始する必要がある。
【０００６】
また、図１３から明らかなように、エアバッグドア３０の外面に被着された発泡体１４の厚みが５〜１０ｍｍ程度で略一定に設定されているため、エアバッグドア３０の開放時には、該エアバッグ５６の開放変位量(外方への変位)に略比例して表皮材１６が変形するようになる。ここで表皮材１６は、厚みが１ｍｍ程度に設定されて柔軟性に富んでいるため、図１３に図示した時点ではまだ表皮開裂予定部２０の開裂がまだ進行しないことが多い。すなわち、各ドアパネル３２,３４,３６,３８の開放変位量に対し、表皮開裂予定部２０の開裂のタイミングが遅れてしまう場合がある。
【０００７】
従って本発明は、エアバッグ装置の作動によりエアバッグが膨張するに際して、エアバッグの膨張力が弱い場合でも、ドア破断予定部の破断および表皮開裂予定部の開裂を短時間で早期に完了し得る構造を提供することを目的とする。
【課題を解決するための手段】
【０００８】
前記課題を解決し、所期の目的を達成するため本発明は、
車両内装部材を構成する基材に設けた複数のドアパネルと、これらドアパネルの境界ラインに沿って延設した破断予定部とからなり、前記エアバッグ装置の作動により膨張するエアバッグが前記各ドアパネルをその裏側から押圧した際に前記破断予定部が破断して、ヒンジ部を中心とした該ドアパネルの開放を許容するエアバッグドア構造において、
前記各ドアパネルの前記破断予定部を、前記ヒンジ部よりも奥まって位置させたことを特徴とする。
【発明の効果】
【０００９】
本発明に係るエアバッグドア構造によれば、エアバッグドアを構成するドアパネルの境界ラインに沿って延設した破断予定部の破断が、エアバッグの膨張力が弱い場合でも短時間で早期に完了するようになるから、各ドアパネルの開放変位が円滑かつ確実に実現されると共に、エアバッグが適切に膨張展開するようになる有益な効果を奏する。また、車両内装部材が、基材、発泡体および表皮材からなる３層構造を呈する場合は、表皮材に設けた表皮開裂予定部の開裂も短時間で早期に完了するようになり、このような車両内装部材であってもエアバッグが膨張展開し易くなる利点がある。
【発明を実施するための最良の形態】
【００１０】
次に、本発明に係るエアバッグドア構造につき、好適な実施例を挙げて、添付図面を参照しながら以下説明する。なお、後述する実施例では、４枚のドアパネルからなる四方開きタイプのエアバッグドアを例示することとし、よって図１０〜図１３を引用して説明した従来技術の項における既出の部材・部位と同一の部材・部位については、同一の符号を付して説明する。
【実施例】
【００１１】
図１は、本実施例に係るエアバッグドアの構造を実施したインストルメントパネルを、該エアバッグドアの配設位置で破断して示した説明断面図、図２は、基材と別体に形成されたエアバッグドアの概略斜視図である。本実施例に係るエアバッグドア３０は、車両内装部材であるインストルメントパネル１０を構成する基材１２に設けた複数のドアパネル３２,３４,３６,３８と、これらドアパネル３２,３４,３６,３８の境界ラインに沿って延設したドア破断予定部４０と、基材１２の内側に配設したエアバッグ装置５２とからなり、エアバッグ装置５２の作動により膨張するエアバッグ５６が各ドアパネル３２,３４,３６,３８をその裏側から押圧した際にドア破断予定部４０が破断して、ヒンジ部４４を中心とした該ドアパネル３２,３４,３６,３８の開放が許容されるようになっている。
【００１２】
インストルメントパネル１０は、基本的には図１０および図１１に例示した従来のものと同様に、所要形状に成形された基材１２と、この基材１２の外面に配設されて意匠面を構成する表皮材１６と、これら基材１２および表皮材１６の間で発泡成形した発泡体１４とからなる３層構造タイプのものである。従ってエアバッグドア３０は、常には前述した表皮材１６および発泡体１４により被覆され、インストルメントパネル１０の外方からは全く視認されないようになっている。
【００１３】
ここで基材１２は、例えばポリプロピレン(ＰＰ)やＡＳＧ等に強化剤を添加した合成樹脂素材を材質とする比較的硬質のインジェクション成形部材であって、内側に配設されるエアバッグ装置５２のインフレータケース５４に対応する部位に、別部材として形成されるエアバッグドア３０を組付けるためのドア設置部１８が開設されている。このドア設置部１８は、図１に例示したように、エアバッグドア３０の板厚と略同程度の段差状に凹設されており、該エアバッグドア３０の裏面に一体的に形成された角筒状の支持枠部４２の挿通を許容するサイズに形成された挿通口１８Ａと、この挿通口１８Ａの外側に形成されてエアバッグドア３０の外縁部を支持する取付支持部１８Ｂとからなっている。
【００１４】
表皮材１６は、インストルメントパネル１０の質感向上を図るために配設されるもので、(a)樹脂シート材から真空成形されたもの、(b)樹脂粉末からパウダースラッシュ成形されたもの、(c)ウレタン原料からスプレー成形されたもの、(d)ウレタン原料から反応射出成形されたもの等が好適に使用され、インストルメントパネル１０の外部意匠面形状を前提として厚さが１ｍｍ程度に予備成形されたものである。この表皮材１６は、例えば表面全体に本革に似せたシボ模様等が再現されている一方、エアバッグドア３０に対応した裏面所要位置に表皮開裂予定部２０が形成されている。
【００１５】
発泡体１４は、例えばウレタン原料を発泡させて形成されるウレタンフォームであって、図示しない発泡成形型にセットした前述の基材１２および表皮材１６の間でウレタン原料を発泡・硬化させることで、これら基材１２と表皮材１６との間に介在させたものである。この発泡体１４は、基材１２と表皮材１６との間では５〜１０ｍｍの厚さに設定されており、またエアバッグドア３０と表皮材１６との間では、後述すると共に図１に例示したように、エアバッグドア３０の形状態様に基づいてこれより適宜厚く設定されており、適度の弾力性を発現し得るようになっている。従って、表皮材１６の適宜部位を指先等で押圧すると該押圧部位が陥凹的に変形するようになり、インストルメントパネル１０の触感向上に寄与するようになっている。また万一、衝突事故時に前方へ投げ出された乗員がインストルメントパネル１０の外面に衝突した場合には、その衝撃を吸収して傷害程度の軽減を図ることにも寄与する。
【００１６】
本実施例のエアバッグドア３０は、図２〜図４に例示するように、例えばＴＰＯ(オレフィン系の熱可塑性エラストマ)等の柔軟性および靭性等に優れた合成樹脂材料を材質としたインジェクション成形部材であり、前述したドア設置部１８の内周端縁形状に合致する略矩形状の外部輪郭形状に形成されている。そして、ドア設置部１８の開口領域に整合するよう配置される４枚のドアパネル３２,３４,３６,３８と、これらドアパネル３２,３４,３６,３８の外周縁に形成され、前述の取付支持部１８Ｂに密着的に固定されるドア取付部４６とに分かたれている。ここで、各ドアパネル３２,３４,３６,３８は平面視で両Ｙ字形に区分されていて、ドアパネル３２は乗員席側(インストルメントパネル１０の後側)に向け開放し、ドアパネル３４は図示しないフロントウィンドウ(インストルメントパネル１０の前側)に向け開放し、ドアパネル３６,３８はインストルメントパネル１０の左側および右側に向け開放するようになっている。すなわち各ドアパネル３２,３４,３６,３８は、エアバッグ装置５２の作動時にドア破断予定部４０が破断すると、ドア取付部４６との境界ラインに沿って薄肉帯状に設けたヒンジ部４４を中心として、インストルメントパネル１０の前・後方向および左・右方向へ夫々開放するようになる。
【００１７】
また、各ドアパネル３２,３４,３６,３８を囲繞する角筒状の支持枠部４２が、エアバッグドア３０の裏側においてドア取付部４６へ一体的に形成されている。この支持枠部４２は、エアバッグドア３０をドア設置部１８へ取付けた際に前述した挿通口１８Ａを介して基材１２の裏側へ延出し、エアバッグ装置５２のインフレータケース５４に連結されることで、ヒンジ部４４を中心として開放変位する各ドアパネル３２,３４,３６,３８をエアバッグ装置５２で支持させるよう機能する。なお、支持枠部４２の外側壁面には、基材１２の挿通口１８Ａの端縁に係止される複数個の係止突部４８が突設されている。
【００１８】
そして、本実施例に係るエアバッグドア３０では、図１〜図４に例示したように、当該のエアバッグドア３０を構成する各ドアパネル３２,３４,３６,３８を、エアバッグ装置５２の側へ所要角度だけ後退した傾斜状態に設けた構造となっている。しかも、互いに隣接する夫々のドアパネル３２,３４,３６,３８では、一方のドアパネル３２,３４,３６,３８の開放端縁部３２Ａ,３４Ａ,３６Ａ,３８Ａが他方のドアパネル３２,３４,３６,３８の開放端縁部３２Ａ,３４Ａ,３６Ａ,３８Ａに重なった状態に形成されており、互いのオーバーラップした両開放端縁部３２Ａ,３４Ａ,３６Ａ,３８Ａに沿ってドア破断予定部４０が形成されている。これによりドア破断予定部４０は、図１１に例示した従来の場合と比較して、各ドアパネル３２のヒンジ部４４および基材１２の外面レベル(ドア取付部４６の外面レベル)よりも奥まって位置している。但し図１、図７および図８では、ドアパネル３６,３８は図示省略してある。
【００１９】
なお、各ドアパネル３２,３４,３６,３８の重なり態様は、乗員席(助手席)側に向け開放するドアパネル３２の開放端縁部３２Ａが最も外方(開放方向)へ位置しており、次いでフロントウィンドウ側に向け開放するドアパネル３４の開放端縁部３４Ａがその内方(下方)に位置し、そしてインストルメントパネル１０の左側および右側へ向け開放する各ドアパネル３６,６８の開放端縁部３６Ａ,３８Ａが、前述した各々のドアパネル３２,３４の内方(下方)に位置している。すなわち、乗員席側に向け開放するドアパネル３２の開放端縁部３２Ａが、乗員席側とは異なる方向へ開放する各ドアパネル３４,３６,３８の開放端縁部３４Ａ,３６Ａ,３８Ａより外方(上方)に位置する関係となっている。
【００２０】
従って、エアバッグドア３０の裏側にエアバッグ５６の押圧力が加わった際に、各ドアパネル３２,３４,３６,３８がヒンジ部４４より外方(上方)および基材１２の外面レベル(ドア取付部４６の外面レベル)より外方(上方)へ変位するまでの開放初期段階においては、隣接するドアパネル３２,３４,３６,３８同士のオーバーラップ量が増大するようになり、これによりドア破断予定部４０に剪断力が生ずるようになるから、この剪断力によりドア破断予定部４０が好適に破断するようになる。例えば、図５に例示するように、乗員席側に向け開放するドアパネル３２とフロントウィンドウ側に向け開放するドアパネル３４を例示して説明すると、各々のドアパネル３２,３４のヒンジ部４４から開放端縁部３２Ａ,３４Ａまでの幅をＳ、一方のヒンジ部４４から他方のヒンジ部４４までの間隔をＬとすると、Ｓ＋Ｓ＞Ｌ の関係となる。これにより、各ドアパネル３２,３４がヒンジ部４４に整列して基材１２の外面レベルと同一となるまで(図７の状態)は、これらドアパネル３２,３４が相互に近接するようになって開放端縁部３２Ａ,３４Ａのオーバーラップ量が徐々に増大するようになるから、図６に例示するように、ドア破断予定部４０に剪断力が生じて該ドア破断予定部４０が破断するようになるのである。
【００２１】
ここで、例えば薄紙の切断を考察した場合、当該の紙を左右へ引張るよりも前後へ裂くようにした方が軽い力で簡単に切断し得ることで説明できるように、従来のエアバッグドア３０のように引裂力を利用してドア破断予定部４０を破断する態様より、本願のエアバッグドア３０のように剪断力を利用してドア破断予定部４０を破断する態様の方が、該ドア破断予定部４０の容易かつ確実な破断を実現できる。
【００２２】
従って、本実施例のエアバッグドア３０では、図７に例示した位置、すなわち各ドアパネル３２,３４,３６,３８がヒンジ部４４および基材１２の外面レベルに略整列した位置(図１１に例示した従来のエアバッグドアにおける開放開始位置)に各ドアパネル３２,３４,３６,３８が開放変位した時点において、既にドア破断予定部４０の破断が略完了するようになっている。従って、図１３に例示した従来のエアバッグドア３０と比較すると、この従来のエアバッグドア３０における開放開始位置において既にドア破断予定部４０の破断が完了することとなり、エアバッグ５６の膨張力が弱い場合でもドア破断予定部４０の破断を短時間で早期に完了させ得る。
【００２３】
一方、本実施例のインストルメントパネル１０では、前述したように、エアバッグドア３０の各々のドアパネル３２,３４,３６,３８を、エアバッグ装置５２の側へ所要角度だけ後退した傾斜状態に設けてあるため、このエアバッグドア３０に対応した部位では発泡体１４の厚みが大きくなっている。これに対し表皮材１６の形状は、図１１に例示した従来のインストルメントパネル１０と同様であるため外観上での形状的な相異は全くなく、インストルメントパネル１０の外部意匠面に不具合が生ずることはない。このように、エアバッグドア３０に対応した部位で発泡体１４の厚みが大きくなっていることに伴い、エアバッグドア３０の開放時に各ドアパネル３２がヒンジ部４４に整列して基材１２の外面レベルと略同一となった時点では、図７に例示したように、表皮材１６は既に凸状に変形するようになる。この表皮材１６の凸状状態は、図１３に例示した従来のエアバッグドア３０において、ドアパネル３２が所要位置まで開放した段階と略同形状となっている。
【００２４】
すなわち本実施例のエアバッグドア３０では、各ドアパネル３２,３４,３６,３８が図１１の位置まで開放変位した時点において、表皮材１６が図１３に例示した形状まで変形しているため、既に表皮開裂予定部２０へかなりの応力が加わった状態となっており、その一部では開裂が始まる状態となっている。そして、更に各ドアパネル３２の開放変位が進行して図８に例示した状態となった段階(図１３の開放位置状態)では、既に表皮開裂予定部２０の開裂が完了することは勿論、発泡体１４の裂断もかなり進行するようになる。従って本実施例のエアバッグドア３０では、発泡体１４の厚みが大きくなったことに伴い、表皮材１６における表皮開裂予定部２０の開裂も短時間で早期に完了すると共に、これにより発泡体１４の裂断も短時間で早期に進行するようになっている。
【００２５】
なお、本実施例に係るエアバックドア３０では、図１および図２に例示したように、各ドアパネル３２,３４,３６,３８における開放端縁部３２Ａ,３４Ａ,３６Ａ,３８Ａに隣接した部位に、当該ドアパネル３２と発泡体１４との剥離を促進するための所要幅のシール５０が貼着されている。すなわち、エアバッグドア３０の外側に所要厚の発泡体１４が存在していると、ヒンジ部４４を中心としたドアパネル３２,３４,３６,３８の開放中心と発泡体１４の折曲ポイントとが一致しないことに起因して、発泡体１４とドアパネル３２,３４,３６,３８とが完全に接着されていると該ドアパネル３２,３４,３６,３８の全開状態までの開放が阻害される虞がある。このため、エアバッグドア３０の開放時には、図９に例示するように、前述したシール５０によりドアパネル３２と発泡体１４との剥離を促進させることで、ドアパネル３２の開放不良を回避することが可能となる。
【００２６】
本実施例に係るエアバッグドア３０の構造の特徴を纏めると、エアバッグドア３０を構成する各ドアパネル３２,３４,３６,３８を、基材１２の外面レベル(ドア取付部４６の外面レベル)よりもエアバッグ装置５２の側へ所要角度だけ後退した傾斜状態に設けて、ドア破断予定部４０をヒンジ部４４よりも奥まって位置させたことにより、エアバッグ装置５２の作動によりエアバッグドア３０の裏側をエアバッグ５６が押圧した際には、各ドアパネル３２,３４,３６,３８がヒンジ部４４(基材１２の外面レベル)より外方(上方)へ変位する以前の過程において、ドア破断予定部４０の破断を短時間で早期に完了させることが可能である。しかも各ドアパネル３２,３４,３６,３８は、互いに隣接する一方のドアパネル３２,３４,３６,３８の開放端縁部３２Ａ３４Ａ,３６Ａ,３８Ａが他方のドアパネル３２,３４,３６,３８の開放端縁部３２Ａ３４Ａ,３６Ａ,３８Ａに重なり、互いにオーバーラップした両開放端縁部３２Ａ３４Ａ,３６Ａ,３８Ａに沿ってドア破断予定部４０を形成してあるため、各ドアパネル３２,３４,３６,３８の開放初期段階において各ドアパネル３２,３４,３６,３８が相互に干渉することなくそのオーバーラップ量が増大するようになり、ドア破断予定部４０に生じた剪断力により該ドア破断予定部４０を適切に破断させることが可能となる。
【００２７】
また、膨張するエアバッグ５６の展開方向である乗員席側に向け開放するドアパネル３２が、乗員席側とは異なる方向に向け開放するドアパネル３４,３６,３８よりも外方(開放方向)に位置しているため、当該のドアパネル３２の開放タイミングが少しだけでも早くなり、その分だけエアバッグ５６と干渉する不都合の発生確率が低くなる。更に、インストルメントパネル１０を構成する発泡体１４の厚みがエアバッグドア３０に対応した部位で大きくなっていることにより、エアバッグドア３０の開放度合よりも表皮材１６の変形度合の方が早くなるため、表皮材１６の表皮開裂予定部２０の開裂も短時間で早期に完了するようになる。
【００２８】
従って、図１〜図８に例示した本実施例に係るエアバッグドア３０では、ドア破断予定部４０の破断、表皮開裂予定部２０の開裂、発泡体１４の裂断の夫々が、図１１〜図１３に例示した従来のエアバッグドア３０の場合と比較すると、エアバッグ５６の膨張力が弱い場合でも短時間で早期に完了するようになるから、各ドアパネル３２,３４,３６,３８の開放変位が円滑かつ確実に実現されると共に、エアバッグ５６が適切に膨張展開するようになる。また前述した実施例のように、インストルメントパネル１０が基材１２、発泡体１４および表皮材１６からなる３層構造を呈している場合でも、表皮材１６に設けた表皮開裂予定部２０の開裂も短時間で早期に完了するようになり、このようなインストルメントパネル１０であってもエアバッグ５６が膨張展開し易くなる。
【００２９】
なお前述した実施例では、車両内装部材としてインストルメントパネル１０を例示したが、本願のエアバッグドアが実施可能な車両内装部材はこれに限定されるものではなく、これ以外にドアパネル、ピラーガーニッシュ等も対象とされる。
【００３０】
また前述した実施例では、４枚のドアパネル３２,３４,３６,３８から構成される四方開きタイプのエアバッグドアを例示したが、本願のエアバッグドアは、２枚のドアパネルから構成される両開きタイプのエアバッグドアや、４枚以上のドアパネルから構成されるエアバッグドアにも実施可能である。
【産業上の利用可能性】
【００３１】
本発明に係るエアバッグドア構造は、インストルメントパネル等の車両内装部材を構成する基材に設けた複数のドアパネルと、これらドアパネルの境界ラインに沿って延設した破断予定部とからなり、エアバッグ装置の作動により膨張するエアバッグが各ドアパネルをその裏側から押圧した際に破断予定部が破断して、ヒンジ部を中心とした該ドアパネルの開放を許容するものである。従って、エアバッグ装置を搭載した種々自動車等に好適に実施可能である。
【図面の簡単な説明】
【００３２】
【図１】本発明の好適実施例に係るエアバッグドアの構造を実施したインストルメントパネルを、該エアバッグドアの配設部位で破断して示した説明断面図である。
【図２】エアバッグドアを構成する各ドアパネルを示した概略斜視図である。
【図３】図２のIII−III線断面図である。
【図４】図２のIV−IV線断面図である。
【図５】ドアパネルの寸法を示した説明断面図である。
【図６】隣接するドアパネルが開放するに際し、両ドアパネルの開放端縁部のオーバーラップ量が増大することで、ドア破断予定部に剪断力が生ずることを示した説明図である。
【図７】図１の開放開始位置から変位した各ドアパネルが、図１１に例示した従来の開放開始位置まで変位した状態を示した説明断面図であって、この状態においてドア破断予定部の破断が既に完了し、また表皮材が凸状に変形して表皮開裂予定部の開裂も始まることを示している。
【図８】図７から更に開放変位した各ドアパネルが、図１３に例示した位置まで変位した状態を示した説明断面図であって、この状態において表皮開裂予定部の開裂および発泡体の裂断が完了していることを示している。
【図９】各ドアパネルが全開位置まで開放した状態を示した説明断面図である。
【図１０】エアバッグドアを設けたインストルメントパネルの部分斜視図である。
【図１１】図１０のXI−XI線断面図である。
【図１２】基材と別体に形成されるエアバッグドアの概略斜視図である。
【図１３】従来のエアバッグドアを示した説明断面図であって、エアバッグ装置の作動により膨張を開始したエアバッグがエアバッグドアを裏側から押すことで各ドアパネルが上方へ移動し、ドア破断予定部に生じた引裂力により該ドアパネルが破断するようになることを示している。
【符号の説明】
【００３３】
１０  インストルメントパネル(車両内装部材)
１２  基材
１４  発泡体
１６  表皮材
３２,３４,３６,３８  ドアパネル
３２Ａ,３４Ａ,３６Ａ,３８Ａ  開放端縁部
４０  ドア破断予定部(破断予定部)
４４  ヒンジ部
５２  エアバッグ装置
５６  エアバッグ
【図１】
2006015919.tif 000003
【図２】
2006015919.tif 000004
【図３】
2006015919.tif 000005
【図４】
2006015919.tif 000006
【図５】
2006015919.tif 000007
【図６】
2006015919.tif 000008
【図７】
2006015919.tif 000009
【図８】
2006015919.tif 000010
【図９】
2006015919.tif 000011
【図１０】
2006015919.tif 000012
【図１１】
2006015919.tif 000013
【図１２】
2006015919.tif 000014
【図１３】
2006015919.tif 000015